(57)【特許請求の範囲】
【請求項１】
伸縮性を有する生地で形成されており、少なくとも腰部から膝下までを被覆する部分を有し、身体にほぼ密着した状態で着用されるタイツであり、
前記タイツは、左右の前身頃において、緊締力の強い緊締部を有し、前記緊締部は、膝蓋骨全体及び脛骨粗面を覆うように膝関節をまたぐ領域に配置されている略楕円形の膝緊締部と、前記膝緊締部と連続的に繋がっており、腰部まで延在する帯状の大腿緊締部を含み、左右の前身頃において、前記大腿緊締部は互いに分離しており、
前記大腿緊締部は前記膝緊締部と長軸伸長率が同じであるか、前記大腿緊締部は前記膝緊締部より長軸伸長率が小さいことを特徴とするタイツ。
【請求項２】
前記膝緊締部は、身体の周方向における幅が９ｃｍ以上２０ｃｍ以下である請求項１に記載のタイツ。
【請求項３】
身体の長さ方向において、膝蓋骨上端から前記膝緊締部上端までの距離が４ｃｍ以上である請求項１又は２に記載のタイツ。
【請求項４】
身体の長さ方向において、膝蓋骨下端から前記膝緊締部下端までの距離が５ｃｍ以上１０ｃｍ以下である請求項１〜３のいずれか１項に記載のタイツ。
【請求項５】
前記大腿緊締部は、身体の周方向における幅が３ｃｍ以上１０ｃｍ以下である請求項１〜４のいずれか１項に記載のタイツ。
【請求項６】
前記大腿緊締部は、身体の周方向において、クロッチからの距離が１０ｃｍ以上２０ｃｍ以下の領域を覆う請求項１〜５のいずれか１項に記載のタイツ。
【請求項７】
前記大腿緊締部の緊締力が前記膝緊締部の緊締力より強い請求項１〜６のいずれか１項に記載のタイツ。
【請求項８】
前記タイツにおいて、本体生地の身体の周方向における伸長率が、本体生地の身体の長さ方向における伸長率より大きい請求項１〜７のいずれか１項に記載のタイツ。
【発明の詳細な説明】
【技術分野】
【０００１】
本発明は、少なくとも腰部から膝下までを被覆する部分を有するタイツに関する。
【背景技術】
【０００２】
近年において、衣類の特定の部位に緊締力が強い部分を形成し、ランニングや歩行をサポートすることが提案されている。例えば、特許文献１には、前身頃の履き口前部から膝頭点に向かう大腿部の大腿直筋の範囲内の領域に、少なくとも膝蓋骨上端に達する長さで、高弾性素材を配置することで、膝関節の屈曲動作をアシストするタイツが提案されている。特許文献２には、膝蓋骨を覆い、膝蓋骨から大腿部及下腿部にかけて脚部の長さ方向にそれぞれ延在する強締付け領域を備え、膝関節動作を支援することができるインナーウェアが提案されている。特許文献３には、ズボンの左右前身頃に弾性を有するゴムを編み込んだ布を縫着することで歩行を促進する衣類が記載されている。
【先行技術文献】
【特許文献】
【０００３】
【特許文献１】国際公開公報２０１３／１７９４４０
【特許文献２】特開２００７−３０３０４０号公報
【特許文献３】登録実用新案公報第３０４３５８９号
【発明の概要】
【発明が解決しようとする課題】
【０００４】
しかし、特許文献１において、左右の前身頃に配置されている高弾性素材は腹部において繋がっているため、着用感が悪くなる問題があった。特許文献２では、膝蓋骨に対して大腿部側及下腿部側で強締付け領域を係止する係止部を設ける必要があった。また、特許文献２では、着用者の椅座位から立位へ移る動作を支援することについて検討しているものの、ウォーキング時の脚の蹴りだしをアシストすることについては検討されていない。特許文献３では、弾性を有するゴムを編み込んだ布を後身頃まで延びる移動防止帯によって固定しているため、着用感が悪い問題があった。
【０００５】
本発明は、上記従来の問題を解決するため、着用感が良好であり、運動時、特に、ウォーキング時の脚の蹴りだしをアシストすることができるタイツを提供する。
【課題を解決するための手段】
【０００６】
本発明は、伸縮性を有する生地で形成されており、少なくとも腰部から膝下までを被覆する部分を有し、身体にほぼ密着した状態で着用されるタイツであり、前記タイツは、左右の前身頃において、緊締力の強い緊締部を有し、前記緊締部は、膝蓋骨全体及び脛骨粗面を覆うように膝関節をまたぐ領域に配置されている略楕円形の膝緊締部と、前記膝緊締部と連続的に繋がっており、腰部まで延在する帯状の大腿緊締部を含み、左右の前身頃において、前記大腿緊締部は互いに分離しており、前記大腿緊締部は前記膝緊締部と長軸伸長率が同じであるか、前記大腿緊締部は前記膝緊締部より長軸伸長率が小さいことを特徴とするタイツに関する。
【０００７】
前記膝緊締部は、身体の周方向における幅が９ｃｍ以上２０ｃｍ以下であることが好ましい。また、身体の長さ方向において、膝蓋骨上端から膝緊締部上端までの距離が４ｃｍ以上であることが好ましい。また、身体の長さ方向において、膝蓋骨下端から膝緊締部下端までの距離が５ｃｍ以上１０ｃｍ以下であることが好ましい。
【０００８】
前記大腿緊締部は、身体の周方向における幅が３ｃｍ以上１０ｃｍ以下であることが好ましい。また、前記大腿緊締部は、身体の周方向において、クロッチからの距離が１０ｃｍ以上２０ｃｍ以下の領域を覆うことが好ましい。
【０００９】
前記大腿緊締部の緊締力が前記膝緊締部の緊締力より強いことが好ましい。前記タイツにおいて、本体生地の身体の周方向における伸長率が、本体生地の身体の長さ方向における伸長率より大きいことが好ましい。
【発明の効果】
【００１０】
本発明のタイツは、着用感がよく、運動時、特に、歩行時の脚の蹴りだしをアシストすることができる。
【図面の簡単な説明】
【００１１】
【図１】図１Ａは本発明のタイツの一実施態様の正面図であり、図１Ｂは同外側面図である。
【図２】図２Ａは本発明のタイツの他の一実施態様の正面図であり、図２Ｂは同外側面図である。
【図３】図３は膝伸展トルクの測定を説明する模式図である。
【図４】図４は膝伸展トルクの結果を示すグラフである。
【図５】図５は歩行速度の結果を示すグラフである。
【発明を実施するための形態】
【００１２】
本発明者は、着用感が良好であり、運動時、特に、ウォーキング時の脚の蹴りだしをアシストすることができるタイツについて鋭意検討した。その結果、ウエスト部から膝下にかけて、膝蓋骨及び脛骨粗面を覆う略楕円形の膝緊締部と、膝緊締部と連続的に繋がっており、腰部まで延在する帯状の大腿緊締部を配置するとともに、左右の前身頃において、大腿緊締部を互いに分離させることで、良好な着用感を維持しつつ、ウォーキング時の脚の蹴り出しをアシストすることで最適なウォーキングに近づけることが可能になることを見出し、本発明に至った。近年、中高齢者に適する強度の運動としてウォーキングが盛んに実施されているが、中高齢者の中でも筋力の衰えなどの理由で最適な時間内又は目的距離をウォーキングできない人が存在する。本発明のタイツは、このような中高齢者に好適である。
【００１３】
本発明において、「伸縮性を有する」とは、タイツを形成する生地の身体の周方向における伸長率及び／又は身体の長さ方向における伸長率が０％を超えることを意味する。本発明において、伸長率とは、ＪＩＳ  Ｌ  １０９６に準じて測定したものをいい、具体的には、荷重をかけていない状態の生地片の長さをＡとし、１５Ｎの荷重をかけた状態の生地片の長さをＢとした場合、伸長率＝（Ｂ―Ａ）／Ａ×１００で算出したものである。
【００１４】
また、本発明において、「ほぼ密着」の状態を作るには、人体の裸のサイズに対して、周囲方向は５０〜１１０％、より好ましくは７０〜９５％、丈は７５〜１００％、より好ましくは８５〜１００％としてタイツを形成する。もちろん人体のサイズは個人差があるので、前記の比率は目安である。より具体的には、ＪＡＳＰＯ規格に従ってサイズを決める。
【００１５】
本発明のタイツは、少なくとも腰部から膝下までを被覆する部分を有すればよく、特に限定されない。例えば腰部から膝下までを覆うように形成されていてもよく、腰部から足首までを覆うように形成されていてもよく、腰部から足甲までを覆うように形成されていてもよい。
【００１６】
本発明のタイツは、緊締力の強い緊締部を有する。通常、生地の伸長率が低いほど緊締力が強くなり、本発明において、緊締力が強いとは、伸長率が低いこと、身体の長さ方向における伸長率（以下において、単に長軸伸長率とも記す。）が低いことを意味する。
【００１７】
本発明において、緊締部は、前身頃に配置されている。膝蓋骨及び脛骨粗面を覆うように膝関節をまたぐ領域に膝緊締部を配置しつつ、膝緊締部の形状を略楕円形にすることで、膝関節の屈曲及び伸展時に、膝緊締部が脛骨粗面に引っかかり、膝緊締部がずれ上がることを防止する。そして、前記膝緊締部と連続的に繋がっており、腰部まで延在する帯状の大腿緊締部を含むことにより、腰部でのアンカーを膝部までにつなぐことで、ウォーキング時の脚の蹴りだしをアシストすることができる。緊締部が前身頃に配置されていることにより、着用感も良好になる。また、左右の前身頃において、前記大腿緊締部は互いに分離していることにより、腹部の圧迫が軽減され着用感も良好になる。
【００１８】
前記膝緊締部は、縦長の略楕円形である。タイツの着用時に、身体の前面部に存在し、前記膝緊締部の身体の周方向の幅は、９ｃｍ以上２０ｃｍ以下であることが好ましく、１２〜１６ｃｍであることがより好ましい。また、タイツの着用時に、身体の長さ方向において、膝蓋骨上端から前記膝緊締部上端までの距離が４ｃｍ以上であることが好ましく、４〜９ｃｍであることがより好ましい。本発明において、「膝蓋骨上端から膝緊締部上端までの距離」とは、膝蓋骨上端の頂点を通る水平線と、膝緊締部上端の頂点を通る水平線間の距離をいう。また、本発明において、距離とは、最短直線距離をいう。膝の屈伸時に皮膚の伸縮が大きい範囲を覆うことにより、ウォーキング時の脚の蹴り出しが促進される。また、タイツの着用時に、身体の長さ方向において、膝蓋骨下端から前記膝緊締部下端までの距離が５ｃｍ以上１０ｃｍ以下であることが好ましく、７〜９ｃｍであることがさらに好ましい。本発明において、「膝蓋骨下端から膝緊締部下端までの距離」とは、膝蓋骨下端の底点を通る水平線と、膝緊締部下端の底点を通る水平線間の距離をいう。膝緊締部がずれ上がることを効果的に防止しつつ、着用感を良好にすることができる。
【００１９】
前記大腿緊締部は、縦長の帯状であり、タイツの着用時に、身体の前面部に存在し、前記大腿緊締部の身体の周方向の幅は、３ｃｍ以上１０ｃｍ以下であることが好ましく、５〜９ｃｍであることがより好ましい。アンカーとしての役割を果たしつつ、違和感がない。前記大腿緊締部において、身体の長さ方向に沿って配置されている外縁部は、曲線を描いていることが好ましい。アンカーとしての役割を果たしつつ、違和感がない。前記大腿緊締部は、タイツの着用時に、身体の周方向において、クロッチからの距離が１０ｃｍ以上２０ｃｍ以下の領域を覆うことが好ましい。股関節を屈曲したときに鼠径部に違和感がない。
【００２０】
前記緊締部を形成する生地の長軸伸長率と、緊締部を除くその他の部位（以下において、単に他の部位とも記す。）を形成する生地の長軸伸長率の比が１．３〜３．７であることが好ましく、１．５〜３．５であることがより好ましく、２〜３．５であることがさらに好ましく、２〜３であることが特に好ましい。伸長率の比が上記の範囲であることにより、動きやすさを保持しつつ、緊締部によるウォーキング時の脚の蹴りだし促進効果が良好になる。
【００２１】
前記緊締部を形成する生地の長軸伸長率は、１０〜１５０％であることが好ましく、３０〜１００％であることがより好ましい。前記緊締部を形成する生地の短軸伸長率は、３０〜１５０％であることが好ましく、５０〜１００％であることがより好ましい。ウォーキング時の脚の蹴りだしを促進するうえ、圧迫感がなく着用感にも優れるからである。また、他の部位を形成する生地の長軸伸張率は、８０％以上であることが好ましく、１００％以上であることがより好ましく、１３０〜２００％であることがさらに好ましい。他の部位を形成する生地の短軸伸張率は、１２０％以上であることが好ましく、１５０％以上であることがより好ましく、１７０〜２５０％であることがさらに好ましい。着用感が良好になる。
【００２２】
前記緊締部を形成する生地の身体の周方向における伸長率（以下において、単に「短軸伸長率」とも記す。）は、長軸伸長率より高いことが好ましく、５〜１００％高いことがより好ましく、１０〜６０％高いことがさらに好ましい。また、他の部位を形成する生地の短軸伸長率は、長軸伸長率より高いことが好ましく、５〜１５０％高いことがより好ましく、１０〜１００％高いことがさらに好ましい。着用しやすく、長時間の着用でも締付け感がほとんど生じない。
【００２３】
前記大腿緊締部の緊締力は、前記膝緊締部の緊締力より大きいことが好ましい。すなわち、前記大腿緊締部を形成する生地は、前記膝緊締部を形成する生地より長軸伸長率が低いことが好ましく、５〜１００％低いことがより好ましく、３０〜８０％低いことがさらに好ましい。ウォーキング時の脚の蹴りだし促進効果がより良好になる。
【００２４】
前記膝緊締部と大腿緊締部が同じ生地で形成されている場合は、前記膝緊締部と大腿緊締部は形状的に明確に分けられておらず、帯状の大腿緊締部と略楕円形の膝緊締部が形状的に一体化され、腰部から膝下にかけて、縦長の帯状の緊締部が膝部分で膨らんで略半楕円形になる。
【００２５】
本発明において、生地としては、伸縮性を有するものであればよく、特に限定されず、例えば織物、編物などの通常の衣服用生地を用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。前記生地は、特に限定されないが、例えば、目付けが１２０〜３８０ｇ／ｍ2の範囲が好ましく、より好ましくは１６０〜３４０ｇ／ｍ2の範囲、さらに好ましくは２４０〜２８０ｇ／ｍ2の範囲である。上記の範囲であれば、運動機能を損なわず、耐久性も良く、軽くて動きやすい利点がある。また、上記生地は、エラストマー樹脂又はゴムにより含浸或いはプレス処理されたものでもよい。エラストマー樹脂としては、ウレタン系エラストマー、軟質塩化ビニル系エラストマー、スチレン系エラストマー、オレフィン系エラストマー、エステル系エラストマー、アミド系エラストマー、塩素化ポリエチレン系エラストマー、Ｓｙｎ−１，２−ポリブタジエン系エラストマー、Ｔｒａｎｓ−１，４−ポリイソプレン系エラストマー、フッ素系エラストマー等が挙げられる。ゴムとしては、シリコーンゴム、フッ素ゴム、ウレタンゴム、合成ゴム、天然ゴム等が挙げられる。また、上記生地は一枚であってもよく、異なる伸長率の二枚の生地を重ねたものであってもよい。
【００２６】
前記生地を形成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００２７】
前記タイツは、長軸伸長率が異なる生地をそれぞれ用いて緊締部と他の部位を形成してもよく、所定の伸長率の一種類の生地（以下において、本体生地とも記す。）で衣服を作製した後、他の生地を二重打ちして緊締部を形成してもよい。前記タイツは、本体生地で衣服を作製した後、樹脂等を含浸又は付着させることで緊締部を形成してもよい。また、“セーレンビスコマジック”（セーレン株式会社製）などのナイロン繊維糸とポリエステル繊維糸を引き揃えた特殊な生地を用いて、ポリエステル繊維のみを所定の位置で特殊溶剤にて溶かすことにより緊締部を形成してもよい。また、島精機製作所の“ホールガーメント”専用機を用いて、緊締部と他の部位を異なる繊維組成で編むことにより作製してもよい。
【００２８】
以下、図面に基づいて、本発明のタイツを説明する。
【００２９】
図１Ａは本発明のタイツの一実施態様（実施形態１）の正面図であり、図１Ｂは同外側面図である。図１Ａ及び図１Ｂに示しているように、実施形態１のタイツ１は、左右の前身頃において、緊締力が強い緊締部２を有している。緊締部２は、膝蓋骨及び脛骨粗面を覆うように膝関節をまたぐ領域に配置されている略楕円形の膝緊締部１０と、膝緊締部１０と連続的に繋がっており、腰部まで延在する帯状の大腿緊締部２０を含む。左右の前身頃において、大腿緊締部２０は互いに分離している。実施形態１のタイツ１において、膝緊締部１０及び大腿緊締部２０は、異なる長軸伸長率の生地で形成されている。
【００３０】
膝緊締部１０は、縦長の略楕円形である。タイツの着用時に、膝緊締部１０の身体の周方向の幅は、９ｃｍ以上２０ｃｍ以下であることが好ましく、１２〜１６ｃｍであることがより好ましい。また、タイツの着用時に、身体の長さ方向において、膝蓋骨上端から膝緊締部１０の上端までの距離が４ｃｍ以上であることが好ましく、４〜９ｃｍであることがより好ましい。膝の屈伸時に皮膚の伸縮が大きい範囲を覆うことにより、ウォーキング時の脚の蹴り出しが促進される。また、タイツの着用時に、身体の長さ方向において、膝蓋骨下端から膝緊締部１０の下端までの距離が５ｃｍ以上１０ｃｍ以下であることが好ましく、７〜９ｃｍであることがより好ましい。膝緊締部がずれ上がることを効果的に防止する。
【００３１】
大腿緊締部２０は、縦長の帯状であり、タイツの着用時に、前記大腿緊締部の身体の周方向の幅は、３ｃｍ以上１０ｃｍ以下であることが好ましく、５〜９ｃｍであることがより好ましい。アンカーとしての役割を果たしつつ、違和感がない。大腿緊締部２０において、身体の長さ方向に沿って配置されている外縁部は、曲線を描いている。アンカーとしての役割を果たしつつ、着用時に違和感がない。大腿緊締部２０は、タイツの着用時に、身体の周方向において、クロッチからの距離が１０ｃｍ以上２０ｃｍ以下の領域を覆うことが好ましい。すなわち、クロッチから大腿緊締部の内側までの距離Ｌ１が１０ｃｍ以上であり、クロッチから大腿緊締部の外側までの距離Ｌ２が２０ｃｍ以下であることが好ましい。股関節を屈曲したときに鼠径部に違和感がない。
【００３２】
図２Ａは本発明のタイツの他の一実施態様（実施形態２）の正面図であり、図２Ｂは同外側面図である。図２Ａ及び図２Ｂに示しているように、実施形態２のタイツ１１は、左右の前身頃において、緊締力が強い緊締部１２を有している。緊締部１２は、膝蓋骨及び脛骨粗面を覆うように膝関節をまたぐ領域に配置されている略楕円形の膝緊締部１００と、膝緊締部１００と連続的に繋がっており、腰部まで延在する帯状の大腿緊締部２００を含む。左右の前身頃において、大腿緊締部２００は互いに分離している。実施形態２のタイツ１１は、膝緊締部１００と膝緊締部２００が同じ生地で形成されている以外は、実施形態１と同様の構成を有する。
【００３３】
実施形態２のタイツ１１において、膝緊締部１００と大腿緊締部２００が同じ生地で形成されていることにより、膝緊締部１００と大腿緊締部２００は形状的に明確に分けられておらず、帯状の大腿緊締部２００と略楕円形の膝緊締部１００が形状的に一体化され、緊締部１２は、腰部から膝下にかけて、縦長の帯状が膝部分で膨らんで略半楕円形となっている。
【実施例】
【００３４】
以下実施例を用いてさらに具体的に説明する。なお、本発明は下記の実施例に限定されるものではない。
【００３５】
（実施例１）
長軸伸長率が１３０％、短軸伸長率が１７２％、目付けが１９４ｇ／ｍ2であるトリコット経編地（ポリエステル繊維８５質量％、ポリウレタン繊維１５質量％、本体生地）を用い、図２に示したようなタイツ１１（ＪＡＳＰＯ規格男性Ｍサイズ）を作製した。図２において、太い線は縫製線を示す。タイツ１１の左右の前身頃において、腰部から膝下にかけて、長軸伸長率が３７％、短軸伸長率が９３％、目付けが１８０ｇ／ｍ2であるトリコット経編地（ナイロン繊維８３質量％、ポリウレタン繊維１７質量％）を二重打ちして、図２に示したように緊締部１２を形成した。膝緊締部１００と大腿緊締部２００は同じ生地で構成された。大腿緊締部２００は、腰部で本体生地に縫製により固定されていた。タイツ１１をＭサイズのマネキン（２０代男性標準体型マネキン、七彩製「ＭＤ−２０Ａ」）に着用させた際、緊締部１２において、膝蓋骨の中心をとおる身体の周方向の幅は１４ｃｍであり、膝蓋骨の中心から緊締部１２の下端までの距離が１０ｃｍであり、膝蓋骨下端から緊締部１２の下端までの距離が６．５ｃｍであった。また、クロッチから大腿緊締部２２０の内側までの距離Ｌ１は１０ｃｍであり、クロッチから大腿緊締部２００の外側までの距離Ｌ２は２０ｃｍであった。生地の伸長率は、ＪＩＳ  Ｌ  １０９６に準じて１５Ｎの荷重下で測定した。
【００３６】
（実施例２）
タイツのサイズをＪＡＳＰＯ規格女性Ｍサイズに合わせた以外は、実施例１と同様にして女性用タイツを作製した。タイツ１１をＭサイズのマネキン（２０代女性標準体型マネキン、七彩製「ＭＰ２０」）に着用させた際、緊締部１２において、膝蓋骨の中心をとおる身体の周方向の幅は１２ｃｍであり、膝蓋骨の中心から緊締部１２の下端までの距離が７ｃｍであり、膝蓋骨下端から緊締部１２の下端までの距離が６．０ｃｍであった。また、クロッチから大腿緊締部２００の内側までの距離Ｌ１は１０．５ｃｍであり、クロッチから大腿緊締部２００の外側までの距離Ｌ２は１８ｃｍであった。
【００３７】
（比較例１）
緊締部を形成していない以外は、長軸伸長率が１２０％、短軸伸長率が１５９％、目付けが１７０ｇ／ｍ2であるトリコット経編地（ポリエステル繊維３４質量％、レーヨン繊維３４質量％、アクリル繊維２７質量％、ポリウレタン繊維５質量％）を用い、実施例１と同様にしてタイツを作製した。
【００３８】
（比較例２）
緊締部を形成していない以外は、長軸伸長率が１２０％、短軸伸長率が１５９％、目付けが１７０ｇ／ｍ2であるトリコット経編地（ポリエステル繊維３４質量％、レーヨン繊維３４質量％、アクリル繊維２７質量％、ポリウレタン繊維５質量％）を用い、実施例２と同様にしてタイツを作製した。
【００３９】
（比較例３）
実施例１と同様にして、緊締部を有するタイツを作製した。その後、膝緊締部において、膝蓋骨の中心に身体の長さ方向に沿って５ｃｍのスリットを１本、その左右に２ｃｍ間隔で２本ずつ、計５本のスリットを入れた。
【００４０】
（着圧の確認）
実施例１及び比較例１のタイツをマネキン（２０代男性標準体型マネキン、七彩製「ＭＤ−２０Ａ」）に着用させ、実施例２及び比較例２のタイツをマネキン（２０代女性標準体型マネキン、七彩製「ＭＰ２０」）に着用させて着圧を計測した。具体的には、着圧センサー（ＡＭＩ１３０３７−Ｐ５、プローブ直径３０ｍｍ、ＡＭＩテクノ製）を上述した標準体型マネキンの臀部、大腿背面、膝上、ふくらはぎにセンサーを貼付し、着圧が０になっていることを確認した上で各々のタイツをマネキンに着用させ各部位の着圧を読み取った。測定回数は、各々のタイツに対して５回ずつ実施し平均値を算出した。その結果、実施例１及び比較例１を着用した際、臀部、大腿背面、膝上及びふくらはぎのすべての測定部位において、着圧は、同程度であることが確認された。同様に、実施例２及び比較例２を着用した際、臀部、大腿背面、膝上及びふくらはぎのすべての測定部位において、着圧は、同程度であることが確認された
【００４１】
（膝伸展トルクの確認）
実施例１及び比較例１のタイツを膝関節が屈曲伸展方向に可動であるマネキンを着用させ、膝伸展トルクを定量的に確認した。具体的には、図３に示すように、男性Ｍサイズマネキン（京都電子工業製「ＴＨＭ−１１７Ｓ」）３００の大腿部、下腿部にそれぞれにマーカー４００を２点ずつ貼付した後、各々のタイツをマネキンに着用させ、マネキンの矢状面から見て膝関節が９０度に屈曲する位置で固定し、このときのばねばかり５００の数値を読み取りトルクに換算した。９０度の確認には東大式角度形を使用した（図示なし）。同時に、参考例１としてタイツの着用なしのマネキンにおける膝伸展トルクも定量的に確認した。測定回数は、実施例１、比較例１及び参考例１とも５回ずつ実施し平均値を算出した。その結果を下記表１及び図４に示した。
【００４２】
【表１】
0006270800.tif 000002
【００４３】
表１及び図４の結果から明らかなように、実施例１のタイツは、参考例１及び比較例１に対して有意に（ｔ検定、ｐ＜０．０５）大きな膝伸展トルクを示した。つまり、実施例１のタイツには膝を伸展させる物理的なアシスト効果があることが確認された。
【００４４】
（歩行速度の確認）
歩行に問題がなく、Ｍサイズが着用できる体型の男性２３名及び女性２２名の計４５名の被験者について、トレッドミルを用いて歩行速度の確認を行った。各々の被験者について、タイツの着用なし、比較例のタイツを着用した際、実施例のタイツの着用した際の三つの条件（すべての条件でシューズは着用せず、ソックスまたは裸足）で、快適歩行速度を確認した。男性は実施例1及び比較例１のタイツを、女性は実施例２及び比較例２のタイツをそれぞれ着用した。具体的には、トレッドミルを用いて十分な準備運動を兼ねたウォーキングを数分実施した上で、速度表示を隠したトレッドミル（傾斜０度）での歩行を実施した。トレッドミル速度は被験者自身で快適な歩行速度に調整した。被験者の快適歩行速度決定の意思表示から３０秒間歩行を続けてもらい、快適歩行速度に変化がなければこの値を快適歩行速度とした。ただし、この３０秒間に快適歩行速度の変更があれば、そこからさらに３０秒間歩行を続けてもらい快適歩行速度の最終判断を下した。最終判断に至るまでこの作業を繰り返した。歩行の指示は「通常歩行ではなく運動としてのウォーキングで、１時間程度続けて歩ける速度」とした。測定終了後、各条件下において、被験者全体の快適方向速度の平均を算出して歩行速度とし、その結果を下記表２及び図５に示した。また、下記表２には、タイツの着用なしの参考例の歩行速度を１００％とした場合、実施例（実施例１及び２）及び比較例（比較例1及び２）の参考例に対する歩行速度比も示した。
【００４５】
【表２】
0006270800.tif 000003
【００４６】
表２及び図５の結果から分かるように、実施例のタイツを着用した場合、タイツを着用していない参考例及び着圧が同程度であるが緊締部を有しない比較例のタイツを着用した場合に比べて有意に（ｔ検定、ｐ＜０．０５）快適歩行速度が上がっていた。また、観察的手法により、被験者を股関節優位で歩行をする群と足関節優位で歩行をする群の２グループに分けた場合、股関節優位で歩行をする群に対するウォーキング時の脚の蹴りだしをアシストする効果がより優れていた。
【００４７】
（官能評価）
実施例１と比較例３のタイツをＭサイズが着用できる体型の男性被験者１０名に着用させ、ウォーキング時の脚の蹴りだしをアシストする効果を感じるかを、アシスト効果を全く感じないのを１とし、アシスト効果を非常に感じるのを７とし、７段階のＳＤ法を用いて官能値を取得した。１０名の被験者の官能値の平均値を算出して、下記表３に示した。
【００４８】
【表３】
0006270800.tif 000004
【００４９】
表３の結果から分かるように、実施例１のタイツを着用した場合、平均値を超えるアシスト効果を感じるのに対し、比較例３の膝緊締部にスリットを有するタイツを着用した場合、アシスト効果を感じなかった。
【符号の説明】
【００５０】
１、１１  タイツ
２、１２  緊締部
１０、１００  膝緊締部
２０、２００  大腿緊締部
３００  マネキン
４００  着圧センサー
５００  ばねばかり
【図１】
0006270800.tif 000005
【図２】
0006270800.tif 000006
【図３】
0006270800.tif 000007
【図４】
0006270800.tif 000008
【図５】
0006270800.tif 000009